(57)【要約】【課題】意匠が支柱１３の間隔（ピッチ）に影響されにくく、しかも、構築作業や修理作業を少ない人数で行なえる構造を実現する。【解決手段】各パネルユニット１５の上端縁部を保持する為に上枠４３に上側抱持溝部２４を、下方に開口する状態で設ける。この上側抱持溝部２４の深さＨ24を、上記各パネルユニット１５の上端縁部と上記上側抱持溝部２４との上下方向に関する掛り代ＨH と、これら各パネルユニット１５の下端縁部と下枠１４の上面に設けた下側抱持溝部２０との上下方向に関する掛り代ＨL とを合計した深さ以上（Ｈ24≧ＨH ＋ＨL ）とする。上記上枠４３と上記下枠１４との間への上記各パネルユニット１５の着脱を、これら各パネルユニット１５の１枚毎に行なえる為、上記課題を解決できる。【選択図】図３
2007169928.tif 000002
【特許請求の範囲】
【請求項１】
水平方向に互いに間隔をあけてそれぞれ上下方向に固定した複数本の支柱と、これら各支柱の中間部同士の間に、これら各支柱よりも表側に突出した状態で掛け渡された、上方が開口した断面形状を有する１本の下枠と、上記各支柱の上部同士の間に、これら各支柱よりも表側に突出した状態で掛け渡された、下方が開口した断面形状を有する１本の上枠と、それぞれの下端縁部を上記下枠に、それぞれの上端縁部を上記上枠に、それぞれ抱持された複数枚のパネルユニットとを備えたフェンスに於いて、これら各パネルユニットの上端縁部を保持する為に上記上枠に、下方に開口する状態で設けた上側抱持溝部の深さを、これら各パネルユニットの上端縁部との上下方向に関する掛り代と、これら各パネルユニットの下端縁部と上記下枠との上下方向に関する掛り代とを合計した深さ以上とする事により、予め設置した下枠と上枠との間に上記各パネルユニットを建て込み、更にこれら両枠同士の間に保持可能とした事を特徴とするフェンス。
【請求項２】
水平方向に互いに間隔をあけてそれぞれ上下方向に固定した複数本の支柱と、これら各支柱の中間部同士の間に、これら各支柱よりも表側に突出した状態で掛け渡された、上方が開口した断面形状を有する１本の下枠と、上記各支柱の上部同士の間に、これら各支柱よりも表側に突出した状態で掛け渡された、下方が開口した断面形状を有する１本の上枠と、それぞれの下端縁部を上記下枠に、それぞれの上端縁部を上記上枠に、それぞれ抱持された複数枚のパネルユニットとを備えたフェンスに於いて、この上枠を、上記各支柱の上端部に結合固定されると共にこれら各パネルユニットの上端縁部をねじ止め固定する結合部と、この結合部にこれら各パネルユニットの上端縁部を結合固定した状態で、この結合部に対し着脱可能で、この結合部に装着した状態で上記各パネルユニットの上端縁部を覆う笠木部とにより構成した事を特徴とするフェンス。
【発明の詳細な説明】
【技術分野】
【０００１】
この発明は、一般住宅等の塀として、或いはマンションや一般住宅のテラス、屋上等の柵として利用するフェンスの改良に関し、支柱のピッチにより意匠が制限される事がない構造を実現するものである。
【背景技術】
【０００２】
図６〜１１は、一般住宅等の塀として、或いはテラス、屋上等の柵として利用するフェンスの２例を示している。これらのフェンス１、１ａは、コンクリートブロック（例えば塀の場合）、或いは鉄筋コンクリート（例えば柵の場合）等により造った、比較的低い腰塀或いは土手部の如き基部２の上面に構築している。上記フェンス１、１ａを構築する為に、この基部２の上面に複数本の支柱３、３ａを、水平方向に互いに間隔をあけてそれぞれ上下方向に固定し、これら複数本の支柱３、３ａの上端部に、手摺４を掛け渡している。
【０００３】
図６〜８に示した第１例の構造の場合には、上記各支柱３、３の中間部下端寄り部分同士の間に掛け渡した下枠５、５の上面と上記手摺４の下面との間に、複数本の竪材６、６を掛け渡している。これに対して、図９〜１１に示した第２例の構造の場合には、上枠７の下面と下枠５ａの上面との間にそれぞれ複数本ずつの竪材６、６を掛け渡して成る複数枚のパネルユニット８、８の両端部を、それぞれブラケット９、９により、上記各支柱３ａ、３ａに支持固定している。
【０００４】
何れの構造の場合も、上記フェンス１、１ａの意匠は、図６、９から明らかな通り、上記各支柱３、３ａの存在に大きく影響される。一方、これら各支柱３、３ａの間隔（ピッチ）は、上記フェンス１、１ａに必要且つ十分な強度を確保できる範囲で、できる限り広くする事が一般的である。従って、上記従来構造の場合には、上記各支柱３、３ａの存在に基づき、上記フェンス１、１ａの意匠が制限される。
【０００５】
これに対して、特許文献１には、図１２〜１３に示す様な構造のフェンス１ｂが記載されている。この従来構造の第３例のフェンス１ｂは、各支柱３、３の中間部で基部２の上面から少し上方位置部分に１本の下枠１０を、これら各支柱３、３同士の間に掛け渡す様に固定している。又、上記各支柱３、３の上端部同士の間に、１本の上枠１１を、これら各支柱３、３同士の間に掛け渡す様に、且つ、上記下枠１０と平行に固定している。そして、この下枠１０により複数枚のパネルユニット１２、１２の下端縁部を、上記上枠１１によりこれら各パネルユニット１２、１２の上端縁部を、それぞれ抱持している。
【０００６】
この様な特許文献１に記載された構造の場合には、図６、９と図１２とを比較すれば明らかな通り、フェンス１ｂを外から（支柱３、３を設置した側と反対側から）見た場合に、支柱３、３が目立たない。従って、隣り合う支柱３、３同士の間隔（ピッチ）に拘らず、上記フェンス１ｂの意匠設計上の自由度が向上する。但し、構築作業、或いは修理作業の容易化を図る面からは、改良の余地がある。この理由は、上記フェンス１ｂを構成する上記複数枚のパネルユニット１２、１２の上端縁部と上記上枠１１との係脱を、これら各パネルユニット１２、１２全体で同時に行なう必要がある為である。
【０００７】
即ち、上記各パネルユニット１２、１２はそれぞれ、上記上枠１１に抱持された状態で、上端縁部を支持されている。この上枠１１を設置する以前の状態では、上記各パネルユニット１２、１２はそれぞれの下端縁部を上記下枠１０の上面に抱持されただけで、鉛直方向に自立する事は難しい。従って、上記各パネルユニット１２、１２の上端縁部を上記上枠１１により抱持する為には、これら各パネルユニット１２、１２を同一平面上に位置させた状態で、これら各パネルユニット１２、１２の上端縁部に上記上枠１１を被せる必要がある。この様な作業を一人の作業員で行なう事は難しい。又、複数枚のパネルユニット１２、１２のうちの何れかのパネルユニット１２が損傷した場合にこれを交換する際に、上記上枠１１を取り外すと、この上枠１１によりそれぞれの上端縁を支持された総てのパネルユニット１２、１２の上端縁の支持力が失われる。この結果、これら各パネルユニット１２、１２が鉛直方向に位置しない状態となる為、損傷したパネルユニットを交換する作業を一人の作業員で行なう事は、新規構築作業の際と同様、困難になる。
【０００８】
【特許文献１】特開平１１−１２５０３７号公報
【発明の開示】
【発明が解決しようとする課題】
【０００９】
本発明は、上述の様な事情に鑑みて、意匠が支柱の間隔（ピッチ）に影響されにくく、しかも、構築作業や修理作業を少ない人数で行なえるフェンスの構造を実現すべく発明したものである。
【課題を解決するための手段】
【００１０】
本発明のフェンスは、何れも、前述した特許文献１に記載されたフェンスと同様に、複数本の支柱と、１本の下枠と、１本の上枠と、複数枚のパネルユニットとを備える。
このうちの各支柱は、水平方向に互いに間隔をあけてそれぞれ上下方向に固定したものである。
又、上記下枠は、これら各支柱の中間部同士の間に、これら各支柱よりも表側に突出した状態で掛け渡されたもので、上方が開口した断面形状を有する。
又、上記上枠は、上記各支柱の上部同士の間に、これら各支柱よりも表側に突出した状態で掛け渡されたもので、下方が開口した断面形状を有する。
更に、上記各パネルユニットは、それぞれの下端縁部を上記下枠に、それぞれの上端縁部を上記上枠に、それぞれ抱持されたものである。
【００１１】
尚、上記各支柱よりも表側とは、フェンスとしての意匠を重要視する側で、一般的に言えば、塀の場合には道路側、柵の場合には屋外側を言う。又、上記下枠及び上記上枠が１本であるとは、上記複数枚のパネルユニットの下端縁部及び上端縁部を、それぞれ１本の下枠及び上枠により支持するとの意味である。これら下枠及び上枠の全長が、輸送を考慮して（トラックの荷台長さを考慮して）制限される事は当然である。従って、小規模工事の場合で３ｍ或いは５ｍを越えるフェンスを構築する場合、更には、大規模工事でも１０ｍを越える様なフェンスを構築する場合、当然に、上記下枠及び上記上枠は、長さ方向に直列に接続された複数本の枠材により構成する。この場合でも、各枠材毎に複数枚のパネルユニットの端縁部を支持すれば、上記下枠及び上記上枠が１本であるとの条件は満たす事になる。
【００１２】
特に、本発明のうちの請求項１に記載したフェンスに於いては、上記各パネルユニットの上端縁部を保持する為に上記上枠に、下方に開口する状態で設けた上側抱持溝部の深さを、これら各パネルユニットの上端縁部との上下方向に関する掛り代と、これら各パネルユニットの下端縁部と上記下枠との上下方向に関する掛り代とを合計した深さ以上としている。そして、この様に上記上側抱持溝部の深さを確保する事により、予め設置した下枠と上枠との間に上記各パネルユニットを（所謂「ケンドン式に）建て込み、更にこれら両枠同士の間に保持可能としている。
【００１３】
又、請求項２に記載したフェンスに於いては、上記上枠を、結合部と笠木部とにより構成している。このうちの結合部は、上記各支柱の上端部に結合固定されると共に、これら各パネルユニットの上端縁部をねじ止め固定するものである。又、上記笠木部は、上記結合部にこれら各パネルユニットの上端縁部を結合固定した状態で、この結合部に対し着脱可能で、この結合部に装着した状態で上記各パネルユニットの上端縁部を覆う。
【発明の効果】
【００１４】
上述の様に構成する本発明のフェンスによれば、意匠が支柱の間隔（ピッチ）に影響されにくく、しかも、構築作業や修理作業を少ない人数で行なえる。
先ず、各支柱同士の間に、これら各支柱よりも表側に突出した状態で設けられた上枠と下枠との間に各パネルユニットを建て込むので、上記各支柱の大部分がこれら各パネルユニットの裏側に隠れ、意匠を重要視する表側に表れない（目立たない）。従って、フェンスの意匠を考える場合に、上記各パネルユニットの幅及びピッチと上記各支柱のピッチとを関連付ける必要がなくなる。この結果、意匠設計上の自由度が向上する。
又、何れの構造の場合でも、これら各パネルユニットの上端縁部を、これら各パネルユニット毎に独立して、予め上記各支柱の同士の間に掛け渡された下枠と上枠との間に建て込める。この為、構築作業や修理作業を少ない人数で行なえる。
【発明を実施するための最良の形態】
【００１５】
［実施の形態の第１例］
図１〜４は、請求項１に対応する、本発明の実施の形態の第１例を示している。本例のフェンスは、複数本の支柱１３、１３と、１本の下枠１４と、１本の上枠４３と、複数枚のパネルユニット１５、１５とを備える。
このうちの各支柱１３、１３は、比較的低い腰塀或いは土手部の如き、コンクリート製基部２の上面に、水平方向（図１、２、４の左右方向）に互いに間隔をあけて、それぞれ上下方向（鉛直方向）に固定している。本例の場合に上記各支柱１３、１３はそれぞれ、下端部を上記基部２に埋設固定した、鋼製或いはステンレス鋼製で円管状の内部支柱１６と、この内部支柱１６にがたつきなく外嵌してリベットによりこの内部支柱１６に対し固定した、アルミニウム合金の押し出し型材製の外部支柱１７とから構成している。
【００１６】
又、上記下枠１４は、上記各支柱１３、１３の中間部下端寄り部分同士の間に、これら各支柱１３、１３よりも表側（フェンスとしての意匠を重要視する側で、図１、４の手前側、図２の下側、図３の左側）に突出した状態で掛け渡されている。この為に本例の場合には、上記各支柱１３、１３の中間部下端寄り部分の表面側に、横Ｔ字形の取付ブラケット１８をねじ止め固定し、この取付ブラケット１８の上面に上記下枠１４を支持固定している。この下枠１４は、アルミニウム合金の押し出し型材製で、上方が開口した断面形状を有する。又、本例の場合には、上記下枠１４の上下方向中間部に、この下枠１４の両内側面の同じ高さ位置から互いに近付く方向に突出した１対の水平板部１９、１９を形成し、これら水平板部１９、１９よりも上側部分を、上記各パネルユニット１５、１５の下端縁部を抱持する為の下側抱持溝部２０としている。
【００１７】
又、前記上枠４３は、上記各支柱１３、１３の上端部同士の間に、これら各支柱１３、１３よりも表側に突出した状態で掛け渡されている。この為に本例の場合には、これら各支柱１３、１３の上端部に平板状の支持板２１の中央部を、複数本のタッピングねじ２２、２２により固定している。上記上枠４３の長さ方向（図１、２、４の左右方向、図３の表裏方向）に関する、上記支持板２１の長さ寸法は、同方向に関する上記各支柱１３、１３の幅寸法よりも大きい。従って、この支持板２１の長さ方向両端部は、これら各支柱１３、１３の両側面から突出している。上記上枠４３は、この様な支持板２１の長さ方向両端部を下方から挿通した複数本の止めねじ２３、２３により、この支持板２１を介して、上記各支柱１３、１３の上端部に支持固定されている。
【００１８】
この様にして、これら各支柱１３、１３の上端部に支持固定された、上記上枠４３の表側半部は、これら各支柱１３、１３よりも、表側に突出（オーバハング）している。そして、上記上枠４３の下面で、これら各支柱１３、１３よりも表側に突出した部分に、下方が開口した上側抱持溝部２４を設けている。本例の場合、この上側抱持溝部２４の深さＨ24を、前記各パネルユニット１５、１５の上端縁部を保持する為に必要とされる深さよりも十分に大きくしている。具体的には、上記深さＨ24を、上記各パネルユニット１５、１５の上端縁部と上記上側抱持溝部２４との上下方向に関する掛り代ＨH と、これら各パネルユニット１５、１５の下端縁部と前記下枠１４との上下方向に関する掛り代ＨL とを合計した深さ以上（Ｈ24≧ＨH ＋ＨL ）としている。そして、この様に上記上側抱持溝部２４の深さＨ24を確保する事により、予め設置した上記下枠１４と上記上枠４３との間に上記各パネルユニット１５、１５を建て込み、更にこれら両枠１４、４３同士の間に保持可能としている。
【００１９】
上記各パネルユニット１５、１５は、上述の様な上側抱持溝部２４と前記下側抱持溝部２０との間に、一般的な、引戸式の雨戸障子やガラス障子と同様の建て込み方式である、ケンドン式に建て込んでいる。本例の場合、上記各パネルユニット１５、１５は、矩形のガラスパネル２５の四周を、上框２６と下框２７と左右の竪框２８、２８とにより囲んで成る。この様な上記各パネルユニット１５、１５は、それぞれの下端縁部に位置する上記下框２７を上記下側抱持溝部２０に保持すると共に、それぞれの上端縁部を構成する上記上框２６を上記上側抱持溝部２４に保持した状態で、上記下枠１４と上記上枠４３との間に建て込んでいる。
【００２０】
建て込み作業の際には、先ず、上記パネルユニット１５を１枚ずつ、上方に向かう程裏側に向かう方向に傾斜させた状態で、上記下枠１４と上記上枠４３との間に表側から近づける。そして、上記上框２６を上記上側抱持溝部２４に進入させ、この上框２６をこの上側抱持溝部２４の奥に迄押し込みつつ、上記パネルユニット１５を鉛直方向に向ける。この結果、上記上框２６が上側抱持溝部２４の奥端に達した状態で、上記下框２７が上記下側抱持溝部２０の直上に位置するので、上記パネルユニット１５を下降させ、この下框２７をこの下側抱持溝部２０に入り込ませる。この状態で、上記パネルユニット１５の上端縁部が上記上枠４３に、同じく下端縁部が上記下枠１４に、それぞれ保持される。そこで、この状態のまま、これら下枠１４及び上枠４３を裏面側から挿通した固定ねじ２９、２９により、この下枠１４と上記下框２７とを、この上枠４３と上記上框２６とを、それぞれ結合固定する。この結果、上記パネルユニット１５が、フェンスの表面側からは取り外せない様になる。フェンスを構築する場合には、これら一連の作業を、各パネルユニット１５毎に行なう。又、修理等の為に何れかのパネルユニット１５を上記上枠４３と上記下枠１４との間から取り外す際には、上記作業を逆の手順で行なう。本例の構造の場合、或るパネルユニット１５の着脱作業を行なう際に、他のパネルユニット１５が傾斜したり外れたりする事はない為、何れの作業も、少ない人数で行なえる（最低限、一人でも可能である）。
【００２１】
上述の様に構成する本例の構造によれば、意匠が前記各支柱１３、１３の間隔（ピッチ）に影響されにくく、しかも、構築作業や修理作業を少ない人数で行なえる。
先ず、上記各支柱１３、１３同士の間に、これら各支柱１３、１３よりも表側に突出した状態で設けられた上記上枠４３と上記下枠１４との間に上記各パネルユニット１５、１５を建て込むので、上記各支柱１３、１３の大部分がこれら各パネルユニット１５、１５の裏側に隠れ、意匠を重要視する表側に表れない。従って、フェンスの意匠を考える場合に、上記各パネルユニット１５、１５の幅及びピッチと上記各支柱１３、１３のピッチとを関連付ける必要がなくなる。この結果、意匠設計上の自由度が向上する。例えば、図４は、隣り合うパネルユニット１５、１５同士の間に、前述の図６〜１１に示した従来構造を構成する竪材６、６を設置した意匠を構成した場合に就いて示している。この様な意匠を構成する場合も、各支柱１３、１３のピッチをそのままにしても、意匠上違和感を与える事はない。
【００２２】
［実施の形態の第２例］
図５は、請求項２に対応する、本発明の実施の形態の第２例を示している。本例の場合には、上枠３０を、何れもアルミニウム合金の押し出し型材製である、結合部３１と笠木部３２とにより構成している。このうちの結合部３１は、水平板部３３と、この水平板部３３の両端縁のうちでフェンスの表面側（図５の左側）から上方に折れ曲がった立上り板部３４とから成る。そして、このうちの水平板部３３を、タッピングねじ２２、２２により、各支柱１３の上端部に結合固定している。これに対して上記笠木部３２は、上記結合部３１に対し係脱可能とし、係合（結合）して上記上枠３０を構成した状態で、上記フェンスの表面側半部の断面形状が、下方が開口した形状となる様にしている。
【００２３】
上記結合部３１と上記笠木部３２とを係脱可能にする為に、本例の場合には、上記立上り板部３４の上端縁に、フェンスの表面側に折れ曲がった固定側係止片３５を形成している。これに対して、上記笠木部３２の下面中央部に着脱側係止片３６を、上記フェンスの裏面側端部（図５の右端部）内面にねじ受け片３７を、それぞれ形成している。上記結合部３１と上記笠木部３２とを結合する場合には、この笠木部３２をこの結合部３１に対し、上記フェンスの表面側から裏面側に変位させつつ、上記固定側係止片３５と上記着脱側係止片３６とを係合させ、更に、上記ねじ受け片３７の下面を上記結合部３１の裏面側端部上面に当接させる。そして、この結合部３１の裏面側端部を下方から挿通したねじ３８を上記ねじ受け片３７に螺合させ更に緊締する。
【００２４】
一方、下枠３９は、前述した実施の形態の第１例の場合と同様に、取付ブラケット１８を介して、上記各支柱１３の表面側下端寄り部分に支持固定している。上記下枠３９の形状は、次述する各パネルユニット１５ａとの結合構造の相違に基づいて、上記実施の形態の第１例と多少異なっている。特に、上記下枠３９の上端部で上記各支柱１３側端部に、上記各パネルユニット１５ａとの結合用ねじを螺合させる為の、水平板部４０を設けている。
【００２５】
上記各パネルユニット１５ａは、それぞれの上下両端縁部を構成する上框２６ａと下框２７ａとを、それぞれ前記上枠３０と上記下枠３９とに、それぞれ固定ねじ２９ａ、２９ａにより、結合固定している。この場合に上記上框２６ａの裏面側上端部に形成した着脱側鉤部４１と、上記立上り板部３４の表面側上下方向中間部に形成した固定側鉤部４２とを係合させて、上側の固定ねじ２９ａの螺合緊締以前の状態でも、上記各パネルユニット１５ａが上記各支柱１３から離れる方向に倒れる事を防止している。
【００２６】
上述の様な本例の構造を構築する場合には、上記結合部３１に上記笠木部３２を結合固定する以前の状態で、この結合部３１に上記各パネルユニット１５ａの上縁部を構成する上記上框２６ａを、上記下枠３９にこれら各パネルユニット１５ａの下縁部を構成する上記下框２７ａを、それぞれ結合固定する。この作業は、先ず、これら各パネルユニット１５ａを１枚ずつ、下方に向かう程裏側に向かう方向に傾斜させた状態で、上記結合部３１と上記下枠３９との間に表側から近づける。そして、上記下框２７ａを、この下枠３９の上面に開口した下側抱持溝部２０ａに進入させ、この下框２７ａをこの下側抱持溝部２０ａに押し込みつつ、上記パネルユニット１５ａを鉛直方向に向ける。そして、上記着脱側鉤部４１が前記固定側係止片３５と上記固定側鉤部４２との間に進入した状態で、上記パネルユニット１５ａを下降させる。
【００２７】
この結果、上記固定側鉤部４２と上記着脱側鉤部４１とが係合すると同時に、上記下框２７ａの裏面側端部の下面と前記水平板部４０の上面とが当接する。この状態で、上記各パネルユニット１５ａは前記上枠３０を構成する上記結合部３１と上記下枠３９との間に、倒れる事なく支持される。そこで、この状態のまま、上記上框２６ａの裏面側上部を表面側から挿通した固定ねじ２９ａを前記立上り板部３４に螺合し更に緊締すると共に、上記下框２７ａの裏面側端部を上方から挿通した固定ねじ２９ａを上記水平板部４０に螺合し更に緊締する。そして最後に、上記笠木部３２を上記結合部３１に、前記固定側、着脱側両係止片３５、３６同士の係合と、前記ねじ３８の螺合、緊締とにより結合固定する。この状態で、上記各パネルユニット１５ａの上端縁部が、上記笠木部３２により覆われる。又、これら各パネルユニット１５ａが、フェンスの表面側からは取り外せない様になる。フェンスを構築する場合には、上記笠木部３２の装着作業を除く上記一連の作業を、各パネルユニット１５ａ毎に行ない、最後にこの笠木部３２を装着する。又、修理等の為に何れかのパネルユニット１５ａを上記上枠３０と上記下枠３９との間から取り外す際には、上記笠木部３２を取り外してから、上記作業を逆の手順で行なう。本例の構造の場合も、或るパネルユニット１５ａの着脱作業を行なう際に、他のパネルユニット１５ａが傾斜したり外れたりする事はない為、何れの作業も、少ない人数で行なえる（最低限、一人でも可能である）。本例の構造でも、例えば、前述の図４に示した様な意匠を構成できる（意匠設計上の自由度が高い）。
【図面の簡単な説明】
【００２８】
【図１】本発明の実施の形態の第１例を示す、フェンスを表側から見た図。
【図２】図１の拡大Ａ−Ａ断面図。
【図３】同拡大Ｂ−Ｂ断面図。
【図４】第１例の構造で意匠を異ならせた場合を示す、図１と同様の図。
【図５】本発明の実施の形態の第２例を示す、図３と同様の図。
【図６】従来構造の第１例を示す、図１と同様の図。
【図７】図６の拡大Ｃ−Ｃ断面図。
【図８】同拡大Ｄ−Ｄ断面図。
【図９】従来構造の第２例を示す、図１と同様の図。
【図１０】図９の拡大Ｅ−Ｅ断面図。
【図１１】同拡大Ｆ−Ｆ断面図。
【図１２】従来構造の第３例を示す、図１と同様の図。
【図１３】図１２の拡大Ｇ−Ｇ断面図。
【符号の説明】
【００２９】
１、１ａ、１ｂ  フェンス
２    基部
３、３ａ  支柱
４    手摺
５、５ａ  下枠
６    竪材
７    上枠
８    パネルユニット
９    ブラケット
１０    下枠
１１    上枠
１２    パネル
１３    支柱
１４    下枠
１５、１５ａ  パネルユニット
１６    内部支柱
１７    外部支柱
１８    取付ブラケット
１９    水平板部
２０、２０ａ  下側抱持溝部
２１    支持板
２２    タッピングねじ
２３    止めねじ
２４    上側抱持溝部
２５    ガラスパネル
２６、２６ａ  上框
２７、２７ａ  下框
２８    竪框
２９、２９ａ  固定ねじ
３０    上枠
３１    結合部
３２    笠木部
３３    水平板部
３４    立上り板部
３５    固定側係止片
３６    着脱側係止片
３７    ねじ受け片
３８    ねじ
３９    下枠
４０    水平板部
４１    着脱側鉤部
４２    固定側鉤部
４３    上枠
【図１】
2007169928.tif 000003
【図２】
2007169928.tif 000004
【図３】
2007169928.tif 000005
【図４】
2007169928.tif 000006
【図５】
2007169928.tif 000007
【図６】
2007169928.tif 000008
【図７】
2007169928.tif 000009
【図８】
2007169928.tif 000010
【図９】
2007169928.tif 000011
【図１０】
2007169928.tif 000012
【図１１】
2007169928.tif 000013
【図１２】
2007169928.tif 000014
【図１３】
2007169928.tif 000015